(57)【要約】【課題】ネックレスを組み合わせたときに形状がいびつになることがなく、種々のバリエーションでも単独でも使用できるネックレスを実現すること。  【解決手段】ネックレス結合金具は、真珠、クラスプのオス型係止部、メス型係止部のいずれをも収容可能である中空半球状の２つの収容部材１１を有する。２つの収容部材１１は、ヒンジ部１２に取り付けられており、ヒンジ部１２を中心に開閉可能になっている。それぞれの収容部材１１は、３つの切り欠き部１５ａ，１５ｂ，１５ｃが形成されている。これらの切り欠き部１５ａ，１５ｂ，１５ｃのうち一つの切り欠き部１５ｃは、ヒンジ部１２の反対側に設けられている。収容部材１１のヒンジ部１２と切り欠き部１５ｃとの間には、それぞれ切り欠き部１５ａ，１５ｂが設けられている。【選択図】図１
0003104672.tif 000002
【実用新案登録請求の範囲】
【請求項１】
複数の宝玉を連ね、２つの端部を有するネックレスの一端に取り付けられたネックレス結合金具であって、略半球の中空体に複数の切り欠き部を形成した一対の収容部材と、前記収容部材を開閉可能にするヒンジ部材と、前記各収容部材に取り付けられており、前記収容部材の開閉を行う際に使用するツマミ部材と、を具備し、前記切り欠き部は、前記ヒンジ部に対して両側及び対向側に位置して設けられ、前記２つの収容部材が閉じたときに、前記宝玉の一及とネックレスクラスプのオス型係止部又はメス型係止部のいずれか一方又は双方を収容できることを特徴とするネックレス結合金具。
【請求項２】
前記ヒンジ部材は、前記ヒンジに取り付けられた支柱枠と、前記支柱枠にスライド可能に挿通された環状部材と、を備えることを特徴とする請求項１記載のネックレス結合金具。
【請求項３】
前記ツマミ部材は、前記切り欠き部間に設けられており、それぞれのツマミ部材は、前記２つの収容部材が閉じた際に対面する位置に設けられていることを特徴とする請求項１又は請求項２記載のネックレス結合金具。
【請求項４】
複数の宝玉を連ねたネックレスであって、一端には請求項１から請求項３のいずれかに記載のネックレス結合金具を取り付け、他端にはオス型係止部を取り付けたことを特徴とするネックレス。
【請求項５】
複数の宝玉を連ねたネックレスであって、一端には請求項１から請求項３のいずれかに記載のネックレス結合金具を備え、他端にはメス型係止部を備えたことを特徴とするネックレス。
【請求項６】
請求項４記載のネックレスの前記ネックレス結合金具が請求項５記載のネックレスの前記複数の宝玉のうちの一つの宝玉に取り付けられ、請求項５記載のネックレスの前記ネックレス結合金具が請求項４記載のネックレスの前記複数の宝玉のうちの一つの宝玉に取り付けられ、請求項４記載のネックレスのオス型係止部と請求項５記載のネックレスのメス型係止部とは互いに結合可能であることを特徴とするネックレス。
【請求項７】
前記宝玉が真珠、貴石、半貴石及びそれらのイミテーション石、ミラーボールからなる群より選ばれたものであることを特徴とする請求項４から請求項６のいずれかに記載のネックレス。
【考案の詳細な説明】
【技術分野】
【０００１】
本考案は、ネックレス結合金具及びそれを用いたネックレスに関し、特に本考案は、種々のパターンの使用を可能にするネックレス結合金具及びそれを用いたネックレスに関する。
【背景技術】
【０００２】
従来より、宝玉を連ねた２本のネックレスを組み合わせて使用するネックレスがある。この組み合わせネックレスは、１本のネックレスは、オス型結合金具とメス型結合金具による通常の連結具（いわゆるクラスプ）を取り付けた通常のネックレスであり、もう１本のネックレスは、その両端に特殊なネックレス結合金具を取り付け、他方のネックレスの所望の位置にある２つの宝玉に、各々のネックレス結合金具を取り付けて、２本を組み合わせて同時に使用するものである。
【考案の開示】
【考案が解決しようとする課題】
【０００３】
しかしながら、１本の通常のネックレスにもう１本のネックレスの両端部をネックレス結合金具を用いて取り付けた場合、このネックレス結合金具には可動部分が全くなく自由度がないので、２本を組み合わせたネックレスの形状がいびつになってしまうという問題がある。
【０００４】
また、ネックレス結合金具を有するネックレスは、通常のネックレスに取り付けられ、組み合わせて使用するだけのネックレスであり、単独では使用することができない。さらに、特殊なネックレス結合金具を両端に取り付けてしまうと通常のネックレスと組み合わせる場合に種々のバリエーションで使用することはできない。
【０００５】
本考案はかかる点に鑑みてなされたものであり、２本のネックレスを組み合わせて使用するときに形状がいびつになることがなく、組み合わせネックレスをそれぞれ単独でも使用することができ、種々のバリエーションを実現することができるネックレス結合金具を提供することを目的とする。  
【課題を解決するための手段】
【０００６】
本考案は、複数の宝玉を連ね、２つの端部を有するネックレスの一端に取り付けられたネックレス結合金具であって、略半球の中空体に複数の切り欠き部を形成した一対の収容部材と、前記収容部材を開閉可能にするヒンジ部材と、前記各収容部材に取り付けられており、前記収容部材の開閉を行う際に使用するツマミ部材と、を具備し、前記切り欠き部は、前記ヒンジ部に対して両側及び対向側に位置して設けられ、前記２つの収容部材が閉じたときに、前記宝玉の一及とネックレスクラスプのオス型係止部又はメス型係止部のいずれか一方又は双方を収容できることを特徴とするネックレス結合金具であることを特徴とする。
【０００７】
この構成によれば、収容部材が、３つの切り欠き部を有しており、切り欠き部のうち一つの切り欠き部が、ヒンジ部の反対側に設けられているので、ネックレス結合金具を組み合わせネックレスとして使うことができ、また、単独のネックレスとして使う場合に、取り付け具（クラスプ）としても使用することができる。
【０００８】
また、請求項１に記載されたネックレス結合金具において、前記ヒンジ部材は、前記ヒンジに取り付けられた支柱枠と、前記支柱枠にスライド可能に挿通された環状部材と、を備えることが好ましい。請求項１又は請求項２に記載されたネックレス結合金具において、前記ツマミ部材は、前記切り欠き部間に設けられており、それぞれのツマミ部材は、前記２つの収容部材が閉じた際に対面する位置に設けられていることが好ましい。
【０００９】
この構成によれば、スライド可能な環状部材を有するので、ネックレスを組み合わせる際に、環状部材の位置が移動して切り欠き部で構成される穴部を挿通する真珠鎖との距離を縮めることができ、組み合わせたネックレスの歪みやいびつさをより少なくすることができる。
【００１０】
本考案の第１のネックレスは、複数の宝玉を連ねたネックレスであって、一端には請求項１から請求項３のいずれかに記載のネックレス結合金具を取り付け、他端にはオス型係止部を取り付けることが好ましい。本考案では、複数の宝玉を連ねたネックレスであって、一端には請求項１から請求項３のいずれかに記載のネックレス結合金具を備え、他端にはメス型係止部を備えることが好ましい。
【００１１】
本考案の第２のネックレスは、請求項４記載のネックレスの前記ネックレス結合金具が請求項５記載のネックレスの前記複数の宝玉のうちの一つの宝玉に取り付けられ、請求項５記載のネックレスの前記ネックレス結合金具が請求項４記載のネックレスの前記複数の宝玉のうちの一つの宝玉に取り付けられ、請求項４記載のネックレスのオス型係止部と請求項５記載のネックレスのメス型係止部とは互いに結合可能であることが好ましい。
【００１２】
また、本考案のネックレスにおいては、前記宝玉が真珠、貴石、半貴石及びそれらのイミテーション石、ミラーボールからなる群より選ばれたものであることが好ましい。
【考案の効果】
【００１３】
本考案に係るネックレス結合金具によれば、ネックレスを組み合わせたときに形状がいびつになることがなく、組み合わせネックレスを単独でも使用することができるので、種々のバリエーションで組み合わせネックレスを使用することができる。
【考案の実施の形態】
【００１４】
以下、本考案の実施の形態について、添付図面を参照して詳細に説明する。なお、本実施の形態においては、便宜上、宝玉が真珠である場合について説明する。
【００１５】
図１は、本考案の一実施の形態に係るネックレス結合金具を示す図である。また、図２（ａ）は、図１における矢印Ａ方向から見た側面図であり、図２（ｂ）は、図１における矢印Ｂ方向から見た側面図であり、図２（ｃ）は、図１における矢印Ｃ方向から見た側面図である。
【００１６】
このネックレス結合金具は、真珠を収容可能である略半球の中空形状を有する２つの（一対の）収容部材１１を有する。この収容部材１１は、ここでは半球形状であるが、真珠などの宝玉を収容できる形状であれば特に限定されない。２つの収容部材１１は、ヒンジ部１２により取り付けられており、ヒンジ部１２を中心に開閉可能になっている。
【００１７】
また、それぞれの収容部材１１には、３つの切り欠き部１５ａ，１５ｂ，１５ｃが形成されている。これらの切り欠き部１５ａ，１５ｂ，１５ｃの位置は、二つの切り欠き部１５ａ、１５ｂは、ヒンジ部の１２の両側に、一つの切り欠き部１５ｃは、ヒンジ部１２の対向側に位置して設けられている。
【００１８】
したがって、このネックレス結合金具は、通常の結合金具（いわゆるクラスプ）としても使用することができる。すなわち、切り欠き部１５ｃは、ヒンジ部１２の対向側に位置しており、ネックレス他端に取り付けられたオス型係止部あるいはメス型係止部を収容し、図７に示すような方法で、各々のネックレスを単独でも使用できるようになり、その場合の形状もいびつになることはない。もちろん、ネックレス結合金具に、オス型係止部あるいはメス型係止部のみならず、末端の真珠の一つを同時に収容しても良い。
【００１９】
また、収容部材１１のヒンジ部１２と切り欠き部１５ｃとの間には、それぞれ切り欠き部１５ａ，１５ｂが設けられている。この切り欠き部１５ａ，１５ｂは、互いに対向する位置に設けられている。すわわち、収容部材１１の中心を通る直線上に乗るように収容部材１１の中心に対して対称に位置し、ネックレス結合金具を他のネックレスの所望の位置にある真珠の一つに取り付けたときに、その真珠はネックレス結合金具の中心を通ることになり、組み合わせネックレスが偏心状態になることを防止できる。
【００２０】
切り欠き１５ａ，１５ｂ，１５ｃは、図２（ｂ）及び図２（ｃ）に示すように、２つの収容部材１１ａ，１１ｂを閉じたときに、少なくともネックレスの糸部を挿通する大きさの穴部を形成しなければならない。また、通常の真珠ネックレスにおいては、一つ一つの真珠が極めて隣接しているので、ネックレス結合金具を取り付けた真珠と両側の真珠との距離を収容部材の厚みにより必要以上に離すような場合には、糸に負担がかかり極めて危険である。したがった、ある程度の大きさをもって両側の真珠が入り込むことができるようなものでなければならない。これらの点を考慮すると、穴部の直径は、約５〜１０ｍｍφの範囲であることが好ましい。
【００２１】
また、収容部材１１自体の大きさは、真珠を収容できなければならないことは当然であるから、真珠の大きさによるものである。加えて、上記したようにクラスプとしても使用するために、ネックレス他端に取り付けられたオス型係止部、メス型係止部をも収容できる大きさでなければならない。
【００２２】
ヒンジ部１２には、支柱枠１３が取り付けられており、その支柱枠１３には、スライド可能に環状部材である輪環１４が挿通されている。したがって、輪環１４は、図２（ａ）に示すように、矢印方向に自由にスライドできる。このようにスライド可能な輪環１４を設けることにより、図５及び図６に示すように、２本のネックレスを組み合わせる際に、輪環１４の位置は必要に応じて移動することができ、組み合わせたネックレスの歪みや形状がいびつになることを防止することができる。
【００２３】
それぞれの収容部材１１ａ，１１ｂの切り欠き部１５ａと切り欠き部１５ｃとの間、及び切り欠き部１５ｂと切り欠き部１５ｃとの間には、収容部材１１ａ，１１ｂの開閉を行う際に使用するツマミ１６が設けられている。それぞれのツマミ１６ａ，１６ｂは、図２（ｂ）及び図２（ｃ）に示すように、２つの収容部材１１ａ，１１ｂが閉じた際に対面するような位置に設けられている。また、それぞれのツマミ１６ａ，１６ｂは、その長さが同じであり、ヒンジ部１２に対してそれぞれ対称な位置に設けられている。なお、ツマミ１６ａ，１６ｂの長さ、数については特に制限はなく、収容部材１１ａ，１１ｂを開閉できれば、ツマミの長さがそれぞれ異なっていても良く、ヒンジ部１２に対してそれぞれ対称な位置に設けられてなくても良い。
【００２４】
次に、上記構成を有するネックレス結合金具を有するネックレスについて説明する。図３（ａ）及び図３（ｂ）は、本考案の実施の形態に係るネックレス結合金具を有する真珠のネックレスを示す図である。ここでは、白真珠ネックレス２１と黒真珠ネックレス２２とを組み合わせて用いる場合について説明する。
【００２５】
図３（ａ）及び図３（ｂ）において、白真珠ネックレス２１は、複数の白真珠を糸により連ねて形成され、その一端には上述したネックレス結合金具２３が取り付けられ、その他端部にクラスプの一方であるオス型係止部２１ａが取り付けられている。黒真珠ネックレス２２は、複数の黒真珠を糸により連ねて形成されており、その一端に上述したネックレス結合金具２３が取り付けられており、他端にクラスプの他方であるメス型係止部２２ａが取り付けられている。
【００２６】
また、図８に示すように、白真珠ネックレス２１のオス型係止部２１ａと、黒真珠ネックレス２２のメス型係止部２２ａはひとつのクラスプＹを構成する。この取り付け具は、互いに磁力で引き合うようになっており、かつ、オス型係止部２１ａには係止突起２１ｂが設けられ、メス型係止部２２ａには係止溝２２ｂが形成され、係止突起２１ｂを係止溝２２ｂに係合させて矢印方向に相対的に回転させることにより双方を係止するものである。もちろん、本考案に使用するクラスプは、図７に示す構成に限定されるわけではなく、白真珠ネックレス２１と黒真珠ネックレスとを結合させることができ、しかも本考案のネックレス結合金具２３に収容され得るものであればどのような形状のものであっても良い。
【００２７】
図４に示す組み合わせネックレスでは、白真珠ネックレスのオス型係止部２１ａと黒真珠ネックレスのメス型係止部２２ａとを結合し、２本のネックレスを１本に連結した後に、ショートナーと呼ばれる輪環状の止め金具２４で中間部をまとめたものである。この場合、本考案に係るネックレス結合金具２３、２４は、ネックレスの下端に位置し、飾り金具としての役割を果たしている。
【００２８】
また、図５に示す組み合わせネックレスでは、白真珠ネックレス２１のネックレス結合金具２３が、黒真珠ネックレス２２の複数の黒真珠２２ｃのうち、所望の位置にある一つの黒真珠に取り付けられ、黒真珠ネックレス２２のネックレス結合金具２３が、白真珠ネックレス２１の複数の白真珠２１ｃのうち、所望の位置にある一つの白真珠に取り付けられ、さらに、白真珠ネックレス２１のオス型係止部２１ａと黒真珠ネックレスのメス型係止部２２ａとが結合されクラスプとしての役割を果たすものである。また、前記同様ショートナー２４が中間部をまとめている。
【００２９】
白真珠ネックレス２１を黒真珠ネックレス２２に取り付ける部分Ｘは、図６に示すような構造になっている。すなわち、白真珠ネックレス２１のネックレス結合金具２３を黒真珠ネックレス２２の黒真珠２２ｃに取り付ける場合、まずツマミ１６ａ，１６ｂを用いて収容部材１１ａ，１１ｂを開く。そして、収容部材１１ａ，１１ｂを特定の黒真珠２２ｃに被せて閉じる。このとき、黒真珠ネックレス２２の糸が収容部材１１ａ，１１ｂの切り欠き部１５ａ，１５ｂで形成される穴部を挿通する。同様にして、黒真珠ネックレス２２のネックレス結合金具２３を白真珠ネックレス２１の白真珠２１ｃに取り付ける。この場合において、真珠間が隣接しているネックレスでは、両側の真珠が切り欠き部に入りこむ。
【００３０】
また、白真珠ネックレス２１をネックレス結合金具２３で黒真珠ネックレス２２に取り付けると、白真珠ネックレス２１の重みで輪環１４は下方にスライドする。これにより、矢印で示すように白真珠ネックレス２１と黒真珠ネックレス２２との間の距離が短くなる（両ネックレスが隣接する。）。このため、白真珠ネックレス２１と黒真珠ネックレス２２とを組み合わせて２連ネックレスを形成してもいびつな形状にならない。
【００３１】
また、白真珠ネックレス２１又は黒真珠ネックレス２２を単独で使用する場合、ネックレス結合金具２３に、白真珠ネックレス２１のオス型係止部２１ａ又は黒真珠ネックレス２２のメス型係止部２２ａを収容する。すなわち、ツマミ１６ａ，１６ｂを用いて収容部材１１ａ，１１ｂを開き、収容部材１１ａ，１１ｂをオス型係止部２１ａ又はメス型係止部２２ａに被せて閉じる。このとき、白真珠ネックレス２１又は黒真珠ネックレス２２の糸が収容部材１１ａ，１１ｂの切り欠き部１５ｃで形成される穴部を挿通するようにする。このため、ネックレス結合金具２３は、通常のクラスプとして用いることができ、その場合の形状も真珠連の方向が支持枠１３と対向する側に位置することでネックレスの形状はいびつにならない。もちろん、収容部材に１１ａ，１１ｂに大きさの余裕があれば、オス型係止部２１ａ又はメス型係止部２２ａのみならず、末端の真珠の一つを同時に収容することもでき、ネックレス自体の長さの調節もできる。
【００３２】
このような使用方法が可能となるということは、真珠ネックレスにおいては極めて大きな意味がある。すなわち、白真珠ネックレスのみを冠婚用に使用し、黒真珠ネックレスのみを葬祭用に使用することができるからである。
【００３３】
また、ネックレス結合金具２３を任意の白真珠２１ｃ及び黒真珠２２ｃに取り付けて、白真珠ネックレス２１と黒真珠ネックレス２２と組み合わせた２連のネックレスとして使用する場合であっても、長さを自由に変えることができる。また、黒真珠ネックレス２２のメス型係止部２２ａを、白真珠ネックレス２１のネックレス結合金具２３に収容し、白真珠ネックレス２１のオス型係止部２１ａを、黒真珠ネックレス２２のネックレス結合金具２３に収容し、１本ロングネックレスを実現することもできる。
【００３４】
本考案は上記実施の形態に限定されず、種々変更して実施することができる。例えば、上記実施の形態においては、宝玉が真珠である場合について説明しているが、本考案は宝玉が真珠以外の他の宝玉、例えば、イミテーション真珠、さんご、こはく、ラピスラジュリ、オニキス、クォーツ、マラカイト及びそれらのイミテーション石である場合にも同様に適用することができる。
【００３５】
また、上記実施の形態では、収容部材１１の切り欠き部を、ヒンジ部１２の対向側に一つ（１５ｃ）と、ヒンジ部１２と切り欠き部１５ｃとの間に２つ（１５ａ，１５ｂ）とを設けた場合についてのみ説明しているが、本考案における切り欠き部は、ヒンジ部１２の対向側に一つ（１５ｃ）設けられていれば、他の切り欠き部の位置に特に限定はない。
【００３６】
また、上記実施の形態では、白真珠ネックレス２１にオス型係止部２１ａが取り付けられ、黒真珠ネックレス２２にメス型係止部２２ａが取り付けられている場合について説明しているが、本考案においては、白真珠ネックレスにメス型係止部が取り付けられ、黒真珠ネックレスにオス型係止部が取り付けられても良いのは当然である。
【００３７】
また、上記実施の形態では、白真珠ネックレス２１と黒真珠ネックレス２２とを組み合わせて組み合わせネックレスを実現する場合について説明しているが、本考案においては、黒真珠以外の色、例えばグレー、イエロー、ピンク、グリーンなどの真珠のネックレスを用いても良く、同色のネックレスを相互に組み合わせても良い。
【００３８】
さらに、上記実施形態では、ネックレスを形成する宝玉が球形の場合についてのみ説明しているが、本考案においては、ミラーボールのような略球形、多角形などの宝玉にも使用できるのは当然である。
【図面の簡単な説明】
【００３９】
【図１】本考案の一実施の形態に係るネックレス結合金具を示す平面図である。
【図２】図１における矢印Ａ方向、矢印Ｂ方向、矢印Ｃ方向から見た側面図である。
【図３】本考案の一実施の形態に係るネックレス結合金具を有する白真珠、黒真珠のネックレスを示す図である。
【図４】本考案の一実施の形態に係るネックレスを示す図である。
【図５】本考案の他の実施の形態に係るネックレスを示す図である。
【図６】図４におけるＸ部を示す拡大図である。
【図７】図３におけるＹ部を示す拡大図である。
【図８】本考案の一実施の形態に係るネックレスを１本で使用する場合の取り付け具を示す図である。
【符号の説明】
【００４０】
１１，１１ａ，１１ｂ  収容部材
１２  ヒンジ部
１３  支持枠
１４  輪環
１５ａ，１５ｂ，１５ｃ  切り欠き部
１６，１６ａ，１６ｂ  ツマミ
２１  白真珠ネックレス
２１ａ  オス型係止部
２１ｂ  係止突起
２１ｃ  白真珠
２２  黒真珠ネックレス
２２ａ  メス型係止部
２２ｂ  係止溝
２２ｃ  黒真珠
２３  ネックレス結合金具
２４  ショートナー
【図１】
0003104672.tif 000003
【図２】
0003104672.tif 000004
【図３】
0003104672.tif 000005
【図４】
0003104672.tif 000006
【図５】
0003104672.tif 000007
【図６】
0003104672.tif 000008
【図７】
0003104672.tif 000009
【図８】
0003104672.tif 000010